(57)【要約】【課題】人が移動しているときにも脳に超音波を伝導できる超音波射出装置を提供する。【解決手段】超音波射出装置１は超音波を射出する超音波射出部２と、超音波射出部２を駆動する駆動部３と、超音波射出部２及び駆動部３を支持し人体に設置する支持部４と、を備え、超音波射出部２は人体の外耳道に設置される形状であり、支持部４は人体の耳殻に設置される形状である。超音波射出部２には人体の鼓膜に音を伝送する貫通孔６が設置されている。【選択図】図１
2017153653.tif 000002
【特許請求の範囲】
【請求項１】
超音波を射出する超音波射出部と、
前記超音波射出部を駆動する駆動部と、
前記超音波射出部及び前記駆動部を支持し人体に設置する支持部と、を備え、
前記超音波射出部は人体の外耳道に設置される形状であり、
前記支持部は人体の耳殻に設置される形状であることを特徴とする超音波射出装置。
【請求項２】
請求項１に記載の超音波射出装置であって、
前記超音波射出部には人体の鼓膜に音を伝送する孔が設置されていることを特徴とする超音波射出装置。
【請求項３】
請求項２に記載の超音波射出装置であって、
音声を射出するスピーカーを備えることを特徴とする超音波射出装置。
【請求項４】
超音波を射出する超音波射出部と、
前記超音波射出部を駆動する駆動部と、
前記超音波射出部及び前記駆動部を支持し人体に設置する支持部と、を備え、
前記支持部は人体の首に設置される形状であり、
前記超音波射出部は人体の首に向けて超音波を射出することを特徴とする超音波射出装置。
【請求項５】
請求項４に記載の超音波射出装置であって、
前記超音波射出部が超音波を射出する面の向きを変える射出方向調整部を有することを特徴とする超音波射出装置。
【請求項６】
請求項４または５に記載の超音波射出装置であって、
前記支持部は人体の首に合わせて形状を変形する支持調整部を有することを特徴とする超音波射出装置。
【発明の詳細な説明】
【技術分野】
【０００１】
本発明は、超音波射出装置に関するものである。
【背景技術】
【０００２】
脳に適度な音圧の超音波を照射して脳の活動の変化を研究する活動が行われている。そして、超音波を照射することにより脳の活動が活性化する現象が確認されている。超音波を当てられた被検者は気分が軽くなり意欲的になったという報告が公開されている。詳しくは、１秒あたり約１０００万回振動する超音波を照射する。これによって、気分に関係する脳の部位にある微小管を、だいたい同じ周波数で共鳴させることができる。微小管は細胞中に見いだされる直径約２５ｎｍの管状の構造をしている。他にも、脳に超音波を照射して、アルツハイマー病の脳から失われた記憶や脳機能自体を回復させるという研究が進められている。
【０００３】
脳に超音波を射出する装置が特許文献１に開示されている。それによると、ヘルメットに超音波トランスデューサーが設置され超音波トランスデューサーから脳に向けて超音波を射出する。超音波が頭蓋骨を通過して特定の場所にフォーカスさせるためにフェーズドトランスデューサーアレイを用いていた。
【先行技術文献】
【特許文献】
【０００４】
【特許文献１】特表２０１３−５０９９５８号公報
【発明の概要】
【発明が解決しようとする課題】
【０００５】
特許文献１の装置はヘルメット状の装置になっている。そして、操作者は装置を頭部に装着する。超音波トランスデューサーと脳との間には頭蓋骨が存在する。そして、頭蓋骨は超音波を通過させ難いので、超音波トランスデューサーから大きな音圧の超音波を射出する必要がある。このため、超音波トランスデューサーは電力を消耗しやすいので装置には容量の大きな電池が必要になる。その結果、装置には重い電池が設置されていた。
【０００６】
このとき、電池が重いので頭部には重い荷重が加わる。そして、人体の頭部の形状は人により異なるので、装置を固定することが難しい。操作者は重い装置を頭部に固定した状態で移動するため、低速で動く必要があった。従って、装置を装着して通常の生活を行うことは難しかった。そこで、日常生活で人が移動するときにも脳に超音波を伝導できる超音波射出装置が望まれていた。
【課題を解決するための手段】
【０００７】
本発明は、上述の課題を解決するためになされたものであり、以下の形態または適用例として実現することが可能である。
【０００８】
［適用例１］
本適用例にかかる超音波射出装置であって、超音波を射出する超音波射出部と、前記超音波射出部を駆動する駆動部と、前記超音波射出部及び前記駆動部を支持し人体に設置する支持部と、を備え、前記超音波射出部は人体の外耳道に設置される形状であり、前記支持部は人体の耳殻に設置される形状であることを特徴とする。
【０００９】
本適用例によれば、超音波射出装置は超音波射出部、支持部及び駆動部を備えている。超音波射出部が超音波を射出し、支持部が超音波射出部を支持する。そして、駆動部が超音波射出部を駆動する。これにより、超音波射出装置は人体の外耳道から脳に超音波を伝導させることができる。人体は超音波を外耳道から受けることにより脳を活性化させて覚醒されることができる。そして、支持部が超音波射出部及び駆動部を人体に設置する。従って、人体が移動しているときにも人体に向けて超音波を射出することができる。
【００１０】
そして、超音波射出部は人体の外耳道に設置される形状になっている。そして、支持部は人体の耳殻に設置される形状になっている。従って、超音波射出装置を人体の耳に設置して外耳道に超音波を射出することができる。脳は頭蓋骨に囲まれており、頭蓋骨は超音波を通過させ難い。一方、外耳道のある場所では頭蓋骨に孔があるので、小さな音圧でも超音波を脳に伝播することができる。従って、超音波射出装置は容量が小さく軽い電池を用いても長時間超音波を脳に照射することができる。その結果、日常生活で人体が移動しているときにも脳に超音波を伝導することができる。
【００１１】
［適用例２］
上記適用例にかかる超音波射出装置において、前記超音波射出部には人体の鼓膜に音を伝送する孔が設置されていることを特徴とする。
【００１２】
本適用例によれば、超音波射出部には孔が設置されている。そして、孔を通して人体の鼓膜に音を伝送することができる。従って、脳に超音波を照射している間でも、人体は周囲の空中を伝播する音を聞くことができる。
【００１３】
［適用例３］
上記適用例にかかる超音波射出装置において、音声を射出するスピーカーを備えることを特徴とする。
【００１４】
本適用例によれば、超音波射出装置は音声を射出するスピーカーを備えている。従って、超音波による刺激と音声による刺激とを同時に人体に与えることができる。
【００１５】
［適用例４］
本適用例にかかる超音波射出装置であって、超音波を射出する超音波射出部と、前記超音波射出部を駆動する駆動部と、前記超音波射出部及び前記駆動部を支持し人体に設置する支持部と、を備え、前記支持部は人体の首に設置される形状であり、前記超音波射出部は人体の首に向けて超音波を射出することを特徴とする。
【００１６】
本適用例によれば、支持部により超音波射出部は人体の首に設置される。そして、超音波射出部は人体の首に向けて超音波を射出する。従って、超音波射出装置を人体の首に設置して首に超音波を射出できる。その結果、超音波射出装置は首の動脈や静脈を経由して脳に超音波の刺激を与えることができる。
【００１７】
脳は頭蓋骨に囲まれており、頭蓋骨は超音波を通過させ難い。一方、首には頭蓋骨がないので、小さな音圧でも超音波を動脈及び静脈に伝播できる。そして、動脈及び静脈を介して脳に超音波の刺激を伝播できる。従って、超音波射出装置は容量が小さく軽い電池を用いても長時間超音波を動脈及び静脈に照射することができる。その結果、日常生活で人体が移動しているときにも脳に超音波による刺激を伝導することができる。
【００１８】
［適用例５］
上記適用例にかかる超音波射出装置において、前記超音波射出部が超音波を射出する面の向きを変える射出方向調整部を有することを特徴とする。
【００１９】
本適用例によれば、超音波射出部が超音波を射出する面の向きを変える射出方向調整部を有する。従って、超音波を射出する面を首の表面に合わせることができる。その結果、超音波を効率良く動脈及び静脈に伝導させることができる。
【００２０】
［適用例６］
上記適用例にかかる超音波射出装置において、前記支持部は人体の首に合わせて形状を変形する支持調整部を有することを特徴とする。
【００２１】
本適用例によれば、支持部は人体の首に合わせて形状を変形する支持調整部を有する。これにより、人体が移動しても超音波射出装置は首から移動し難くすることができる。従って、人が移動しても超音波射出装置は超音波を安定して動脈及び静脈に射出することができる。
【図面の簡単な説明】
【００２２】
【図１】第１の実施形態にかかわる超音波射出装置の構造を示す模式平断面図。
【図２】超音波射出装置の設置状態を説明するための模式図。
【図３】超音波射出装置の設置状態を説明するための模式断面図。
【図４】第２の実施形態にかかわる超音波射出装置の構造を示す模式平断面図。
【図５】第３の実施形態にかかわる音波射出装置の設置状態を説明するための概略斜視図。
【図６】超音波射出装置の構造を示す模式平断面図。
【発明を実施するための形態】
【００２３】
以下、実施形態について図面に従って説明する。尚、各図面における各部材は、各図面上で認識可能な程度の大きさとするため、各部材毎に縮尺を異ならせて図示している。
【００２４】
（第１の実施形態）
本実施形態では、超音波射出装置と、この超音波射出装置を用いて超音波により脳に刺激を与える方法との特徴的な例について、図に従って説明する。第１の実施形態にかかわる超音波射出装置について図１〜図３に従って説明する。図１は、超音波射出装置の構造を示す模式平断面図である。図１に示すように、超音波射出装置１は超音波射出部２と超音波射出部２を駆動する駆動部３とを備えている。そして、超音波射出部２と駆動部３とが支持部４により接続されている。
【００２５】
超音波射出部２は被検者に超音波を射出する。そして、駆動部３は超音波射出部２に電気信号を出力して超音波射出部２を駆動する。支持部４は超音波射出部２及び駆動部３を支持し被検者に設置する。支持部４の形状は被検者の耳殻に沿う形状であり、被検者に設置される形状になっている。
【００２６】
超音波射出部２は円錐台形の基部５を備えている。基部５には上面５ａと底面５ｂとを貫通する孔としての貫通孔６が設置されている。超音波射出部２は被検者の外耳道に設置される。このとき、貫通孔６を通じて外界から鼓膜に音が伝わるようになっている。円錐台形の超音波射出部２の側面には超音波アレイ７が設置されている。超音波アレイ７では基板上に超音波素子がマトリックス状に配置されている。各超音波素子が射出する超音波の周波数は特に限定されないが、例えば、０．２５ＭＨｚから２０ＭＨｚから選択することができる。被検者の反応に応じて選択するのが好ましい。そして、超音波素子の大きさも射出する超音波の周波数に適した大きさにするのが好ましい。これにより、効率良く超音波を射出することができる。
【００２７】
超音波素子の種類は特に限定されないがＰＺＴ（ジルコン酸チタン酸鉛）素子やＰＤＶＦ（ポリフッ化ビニリデン）素子等の圧電素子を用いることができる。本実施形態では圧電素子の１つであるＰＺＴ素子を用いている。
【００２８】
超音波アレイ７を覆って被膜８が設置されている。被膜８は超音波アレイ７と被検者の皮膚との間の音響インピーダンスを緩和し防水性のある膜であれば良く、本実施形態では、例えば、シリコンゴムの膜を用いている。被膜８と被検者の皮膚との間にジェルを塗布するのが好ましい。効率よく超音波を伝播することができる。
【００２９】
基部５の底面５ｂには支持部４が接続されている。支持部４は管状であり内部には複数の配線９が設置されている。支持部４は底面５ｂと接続する接続部４ａが弾性を有している。そして、支持部４の接続部４ａは捻じり易くなっている。これにより、支持部４を耳殻にひっかけて超音波射出部２を外耳道に挿入することが可能になっている。
【００３０】
駆動部３は筐体１０を備えている。筐体１０の内部には回路基板１１及び電池１２が設置されている。筐体１０は開閉可能であり、電池１２は筐体１０から着脱可能に設置されている。そして、電池１２の容量が減ったときには交換することが可能になっている。電池１２は回路基板１１に電力を供給する。
【００３１】
回路基板１１にはＣＰＵ（中央演算装置）の他、パルス発生回路、増幅回路、メモリー、スイッチ１３、表示装置１４が設置されている。そして、配線９が回路基板１１に接続されている。パルス発生回路がパルス波形を形成して増幅回路が電力増幅する。電力増幅されたパルス波形が配線９を介して超音波アレイ７に供給される。そして、超音波アレイ７ではパルス波形により超音波素子が超音波を射出する。
【００３２】
被検者はスイッチ１３を操作して超音波の射出開始及び停止の指示をする。さらに、超音波射出部２から射出する超音波の音圧レベルを調整可能になっている。ＣＰＵがスイッチ１３の入力を検出してパルス波形の電圧を変更する指示信号をパルス発生回路に出力する。パルス発生回路は指示信号を受けてパルス波形の電圧を変更する。これにより、超音波の音圧レベルが変更される。
【００３３】
さらに、超音波射出部２から射出する超音波の周波数を調整可能になっている。ＣＰＵがスイッチ１３の入力を検出してパルス波形の周波数を変更する指示信号をパルス発生回路に出力する。パルス発生回路は指示信号を受けてパルス波形の周波数を変更する。これにより、超音波の周波数が変更される。
【００３４】
さらに、駆動部３はタイマーの機能を備えている。超音波射出部２から超音波を射出する時間を調整可能になっている。ＣＰＵがスイッチ１３の入力を検出して駆動する時間をメモリーに記憶する。そして、超音波射出部２は超音波の射出を開始する。ＣＰＵが時間の経過を測定し設定した時間になったとき、超音波の射出を停止する。
【００３５】
表示装置１４には超音波の音圧設定値や周波数が表示される。他にも、タイマー機能を作動させたときには残りの駆動時間を表示する。
【００３６】
図２は超音波射出装置の設置状態を説明するための模式図である。図２に示すように、支持部４は被検者１５の耳殻１５ａに設置される形状になっている。そして、人体としての被検者１５の耳殻１５ａに沿って支持部４を配置する。そして、頭部と耳殻１５ａとの間に支持部４を設置する。そして、接続部４ａを捻じって外耳道に超音波射出部２を挿入する。駆動部３は耳殻１５ａに対して重力が作用する側に位置する。駆動部３では電池１２に重心があり、電池１２は耳殻１５ａに対して重力が作用する側に位置する。これにより、超音波射出装置１は安定して耳殻１５ａに設置される。
【００３７】
図３は超音波射出装置の設置状態を説明するための模式断面図である。図３に示すように、支持部４は耳殻１５ａに引っ掛けて設置される。そして、支持部４は被検者１５の頭部１５ｂに沿って設置される。頭部１５ｂでは頭蓋骨１５ｃの内部に脳が配置されている。そして、頭蓋骨１５ｃは外耳道１６のある場所に孔１５ｄが設置されており、孔１５ｄの内面は皮膚等の組織で覆われている。
【００３８】
超音波射出部２は被検者１５の外耳道に設置される形状になっており、外耳道１６に超音波射出部２が挿入される。そして、超音波射出部２が射出する超音波１７は外耳道１６に位置する組織を伝播して脳に到達する。外耳道１６に位置する組織は頭蓋骨１５ｃより超音波１７を伝播し易いので、小さな音圧の超音波１７でも超音波１７を脳に到達させることができる。脳内には被検者１５の気分に関係する微小管が存在する。この微小管は細胞中に見いだされ、直径約２５ｎｍの管状の構造をしている。超音波１７によって気分に関係する脳内にある微小管を超音波１７と同じ周波数で共鳴させることができる。その結果、抑うつ症等の症状が改善される。
【００３９】
上述したように、本実施形態によれば、以下の効果を有する。
（１）本実施形態によれば、超音波射出装置１は超音波射出部２、支持部４及び駆動部３を備えている。超音波射出部２が超音波１７を射出し、支持部４が超音波射出部２を支持する。そして、駆動部３が超音波射出部２を駆動する。これにより、超音波射出装置１は被検者１５の外耳道１６から脳に超音波１７を伝導させることができる。被検者１５は超音波１７を外耳道１６から受けることにより脳を活性化させて覚醒されることができる。そして、支持部４が超音波射出部２及び駆動部３を被検者１５に設置する。従って、被検者１５が移動しているときにも被検者１５に向けて超音波１７を射出することができる。
【００４０】
そして、超音波射出部２は被検者１５の外耳道１６に設置される形状になっている。そして、支持部４は被検者１５の耳殻１５ａに設置される形状になっている。従って、超音波射出装置１を被検者１５の耳殻１５ａに設置して外耳道１６に超音波１７を射出することができる。脳は頭蓋骨１５ｃに囲まれており、頭蓋骨１５ｃは超音波１７を通過させ難い。
【００４１】
一方、頭蓋骨１５ｃは外耳道１６のある場所に孔１５ｄが設置されており、孔１５ｄの内面は皮膚等の組織で覆われている。外耳道１６に超音波射出部２が挿入される。そして、超音波射出部２が射出する超音波１７は外耳道１６に位置する組織を伝播して脳に到達する。外耳道１６に位置する組織は頭蓋骨１５ｃより超音波１７を伝播し易いので、小さな音圧の超音波１７でも超音波１７を脳に到達させることができる。
【００４２】
従って、超音波射出部２は消費電力を小さくできる為、超音波射出装置１は容量が小さく軽い電池１２を用いても長時間超音波１７を脳に照射することができる。電池１２が軽いと超音波射出装置１も軽くなる。そして、超音波射出装置１が軽いと超音波射出装置１を耳殻１５ａに設置しても被検者１５に苦痛を感じさせないようにできる。その結果、日常生活で被検者１５が移動しているときにも脳に超音波１７を伝導することができる。
【００４３】
（２）本実施形態によれば、超音波射出部２には貫通孔６が設置されている。そして、貫通孔６を通して被検者１５の鼓膜に音を伝送することができる。
【００４４】
（３）本実施形態によれば、支持部４は被検者１５の耳殻１５ａに掛けて設置される。耳殻１５ａは頭部１５ｂから突出しており超音波射出装置１を装着して被検者１５の移動による衝撃に耐える程度に固定することができる。
【００４５】
（４）本実施形態によれば、超音波射出部２は外耳道１６から超音波１７を射出している。このとき、脳の免疫系細胞へ適度な刺激を加えることができる。そして、脳の免疫系細胞がプラークを減少させる。従って、脳内の神経関連の病気を改善することができる。また、精神的な障害を感じていない人でも超音波射出装置１を用いて脳に超音波１７による刺激を加えることにより気分を改善することができる。
【００４６】
（第２の実施形態）
次に、超音波射出装置の一実施形態について図４の超音波射出装置の構造を示す模式平断面図を用いて説明する。本実施形態が第１の実施形態と異なるところは、音声を射出するスピーカーが設置されている点にある。尚、第１の実施形態と同じ点については説明を省略する。
【００４７】
すなわち、本実施形態では、図４に示すように超音波射出装置１９では超音波射出部２の底面５ｂにスピーカー２０が設置されている。スピーカー２０は略有底円筒状のケース２０ａを備えている。ケース２０ａの底面には筒状の永久磁石２０ｂが設置され、永久磁石２０ｂの超音波射出部２側の面には振動板２０ｃが設置されている。そして、振動板２０ｃの永久磁石２０ｂ側の面にはボイスコイル２０ｄが設置されている。ボイスコイル２０ｄに音声波形の電流信号を通電することにより、振動板２０ｃが振動する。そして、振動板２０ｃから音声が生じる。音声は貫通孔６を通って被検者１５の鼓膜に到達し、鼓膜を振動させる。
【００４８】
配線９により回路基板１１はボイスコイル２０ｄと接続されている。回路基板１１に設置されたメモリーには音声データが記憶されている。そして、回路基板１１にはＤ／Ａ（Ｄｉｇｉｔａｌ  ｔｏ  Ａｎａｌｏｇ）コンバーターが設置されている。回路基板１１に設置されたＣＰＵは音声データをＤ／Ａコンバーターに出力する。Ｄ／Ａコンバーターは音声データを音声信号にしてボイスコイル２０ｄに出力する。これにより、超音波射出装置１９は音声データを再生することができる。
【００４９】
上述したように、本実施形態によれば、以下の効果を有する。
（１）本実施形態によれば、超音波射出装置１９は音声を射出するスピーカー２０を備えている。従って、超音波１７による刺激と音声による刺激とを同時に被検者１５に与えることができる。
【００５０】
（第３の実施形態）
次に、超音波射出装置の一実施形態について図５及び図６を用いて説明する。本実施形態本実施形態が第１の実施形態と異なるところは、超音波射出装置を被検者１５の首１５ｅに設置する点にある。尚、第１の実施形態と同じ点については説明を省略する。
【００５１】
図５は超音波射出装置の設置状態を説明するための概略斜視図である。すなわち、本実施形態では、図５に示すように、超音波射出装置２３は被検者１５の首１５ｅに設置して用いられる。超音波射出装置２３は一部が欠けた円環形状をしており、首１５ｅの外周に沿って巻き付けられている。
【００５２】
図６は超音波射出装置の構造を示す模式平断面図である。図６に示すように、超音波射出装置２３は超音波射出部２４と超音波射出部２４を駆動する駆動部２５とを備えている。そして、超音波射出部２４及び駆動部２５は支持部２６により支持されている。
【００５３】
超音波射出部２４は被検者１５の首１５ｅに向けて超音波１７を射出する。そして、駆動部２５は超音波射出部２４に電気信号を出力して超音波射出部２４を駆動する。支持部２６は超音波射出部２４及び駆動部２５を支持し被検者１５の首１５ｅに設置する。支持部２６の形状は被検者１５の首１５ｅに沿う形状であり首１５ｅに設置される形状になっている。
【００５４】
超音波射出部２４は円板状の基部２７を備えている。基部２７の首１５ｅ側には超音波アレイ２８が設置されている。超音波アレイ２８は第１の実施形態における超音波アレイ７と同様の構造であり同様の機能を備えている。超音波アレイ２８を覆って被膜２９が設置されている。被膜２９は超音波アレイ２８と被検者１５の皮膚との間の音響インピーダンスを緩和し防水性のある膜であれば良く、本実施形態では、例えば、シリコンゴムの膜を用いている。被膜２９と被検者１５の皮膚との間にジェルを塗布するのが好ましい。効率よく超音波を伝播することができる。
【００５５】
超音波射出部２４は射出方向調整部３０と接続されている。射出方向調整部３０は球状部３１がハウジング３２内に収まった球面軸受の構造になっている。そして、基部２７が球状部３１に接続されている。射出方向調整部３０は超音波射出部２４が超音波１７を射出する面の向きを変えることができる。そして、超音波射出部２４の被膜２９を首１５ｅの皮膚に接触させるとき、被膜２９は首１５ｅの表面に沿って配置される。従って、超音波１７を射出する面を首１５ｅの表面に合わせることができる。その結果、超音波１７を効率良く首１５ｅの内部に照射させることができる。
【００５６】
首１５ｅの内部には動脈１５ｆ及び静脈１５ｇが存在する。そして、超音波射出部２４は動脈１５ｆ及び静脈１５ｇと対向する場所に設置される。そして、超音波射出部２４が超音波１７を射出するとき、動脈１５ｆ及び静脈１５ｇに超音波１７を伝導させることができる。これにより、動脈１５ｆ及び静脈１５ｇは振動し脳内の器官を刺激することができる。
【００５７】
支持部２６内は円筒状であり、支持部２６の内部は空洞になっている。そして、支持部２６の内部には回路基板３３及び電池３４が設置されている。支持部２６は一部が開閉可能になっており、電池３４は支持部２６から着脱可能に設置されている。そして、電池３４の容量が減ったときには交換することが可能になっている。電池３４は回路基板３３に電力を供給する。
【００５８】
回路基板３３にはＣＰＵの他、パルス発生回路、増幅回路、メモリーが設置されている。支持部２６の表面にはスイッチ３５及び表示装置３６が設置され、スイッチ３５及び表示装置３６は配線３７により回路基板３３と接続されている。さらに、超音波アレイ２８が配線３７により回路基板３３と接続されている。そして、パルス発生回路がパルス波形を形成して増幅回路が電力増幅する。電力増幅されたパルス波形が配線３７を介して超音波アレイ２８に供給される。そして、超音波アレイ２８ではパルス波形により超音波素子が超音波を射出する。このように、駆動部２５は第１の実施形態における駆動部３と同様の構成であり同様の機能を備えている。そして、被検者１５はスイッチ３５を操作することにより超音波の射出の開始と停止、超音波の音圧レベル、超音波の周波数、駆動時間を変更することが可能になっている。
【００５９】
支持部２６は第１筐体３８、支持調整部としての第２筐体３９及び第３筐体４０を備えている。そして、第２筐体３９の一端は第１筐体３８に挿入され、第２筐体３９の他端は第３筐体４０に挿入されている。従って、第２筐体３９の一部は第１筐体３８と重なり、第２筐体３９の一部は第３筐体４０と重なっている。
【００６０】
被検者１５は支持部２６を操作して第２筐体３９が第１筐体３８及び第３筐体４０と重なる長さを変更することができる。そして、被検者１５は支持部２６の内径を変更する。これにより、被検者１５の首１５ｅの断面形状に合わせて被検者１５が支持部２６の形状を調整することができる。従って、被検者１５が移動しても超音波射出装置２３は超音波１７を安定して動脈１５ｆ及び静脈１５ｇに射出することができる。
【００６１】
上述したように、本実施形態によれば、以下の効果を有する。
（１）本実施形態によれば、支持部２６により超音波射出装置２３は被検者１５の首１５ｅに設置される。そして、超音波射出部２４は被検者１５の首１５ｅに向けて超音波１７を射出する。従って、超音波射出装置２３を被検者１５の首１５ｅに設置して首１５ｅに超音波１７を射出できる。その結果、超音波射出装置２３は首１５ｅの動脈１５ｆ及び静脈１５ｇを経由して脳に超音波１７の刺激を与えることができる。
【００６２】
そして、超音波射出部２４は被検者１５の首１５ｅに設置される形状になっている。そして、支持部２６は被検者１５の首１５ｅに設置される形状になっている。従って、超音波射出装置２３を被検者１５の首１５ｅに設置して首１５ｅの動脈１５ｆ及び静脈１５ｇに超音波１７を射出することができる。脳は頭蓋骨１５ｃに囲まれており、頭蓋骨１５ｃは超音波１７を通過させ難い。一方、首１５ｅには頭蓋骨１５ｃがないので、小さな音圧でも超音波１７を動脈１５ｆ及び静脈１５ｇに伝播できる。そして、動脈１５ｆ及び静脈１５ｇを介して脳に超音波１７の刺激を伝播できる。従って、超音波射出装置２３は容量が小さく軽い電池３４を用いても長時間超音波１７を動脈１５ｆ及び静脈１５ｇに照射することができる。そして、超音波射出装置２３が軽いと超音波射出装置２３を首１５ｅに設置しても被検者１５に苦痛を感じさせないようにできる。その結果、日常生活で被検者１５が移動しているときにも脳に超音波１７による刺激を伝導することができる。
【００６３】
（２）本実施形態によれば、超音波射出部２４が超音波１７を射出する面の向きを変える射出方向調整部３０を有する。従って、超音波１７を射出する面を首の表面に合わせることができる。その結果、超音波１７を効率良く動脈１５ｆ及び静脈１５ｇに伝導させることができる。
【００６４】
（３）本実施形態によれば、支持部２６は被検者１５の首１５ｅに合わせて形状を変形する第２筐体３９を有する。従って、被検者１５が移動しても超音波射出装置２３は超音波１７を安定して動脈１５ｆ及び静脈１５ｇに射出することができる。
【００６５】
（４）本実施形態によれば、支持部２６は被検者１５の首１５ｅに設置されている。首１５ｅは円柱状に体から突出しており超音波射出装置２３を装着して被検者１５の移動による衝撃に耐える程度に固定することができる。その結果、日常生活で被検者１５が活動するときにも動脈１５ｆ及び静脈１５ｇを経て脳に超音波１７による刺激を加えることができる。
【００６６】
尚、本実施形態は上述した実施形態に限定されるものではなく、本発明の技術的思想内で当分野において通常の知識を有する者により種々の変更や改良を加えることも可能である。変形例を以下に述べる。
（変形例１）
前記第１の実施形態では、支持部４が超音波射出装置１を耳殻１５ａに固定する形態にした。他にも、ヘッドフォンのように支持部４が被検者１５の頭頂部に設置されても良い。そして、左右の外耳道１６に超音波射出部２を設置しても良い。脳に左右の外耳道１６から超音波１７の刺激を加えることができる。
【００６７】
（変形例２）
前記第３の実施形態では、超音波射出装置２３は首１５ｅに超音波１７を射出した。超音波射出装置２３にイヤーホンを設置しても良い。そして、動脈１５ｆ及び静脈１５ｇに超音波１７を射出するとともに、耳から音声を聞けるようにしても良い。超音波１７と音声との両方の刺激を脳に加えることができる。
【符号の説明】
【００６８】
１，１９，２３…超音波射出装置、２，２４…超音波射出部、３，２５…駆動部、４，２６…支持部、６…孔としての貫通孔、１５ａ…耳殻、１５ｅ…首、１５…人体としての被検者、１６…外耳道、１７…超音波、２０…スピーカー、３０…射出方向調整部、３９…支持調整部としての第２筐体。
【図１】
2017153653.tif 000003
【図２】
2017153653.tif 000004
【図３】
2017153653.tif 000005
【図４】
2017153653.tif 000006
【図５】
2017153653.tif 000007
【図６】
2017153653.tif 000008